【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
流体（２）のためのネブライザ（１）であって、
ハウジングと、
前記流体（２）を投与するための送り出し機構と、
特に前記流体（２）を収容する容器（３）を前記送り出し機構に流体連結するために及び／又は前記ハウジングを閉じるために前記ハウジングに連結することができるハウジング部品（１８）と、
前記ハウジング部品（１８）に配置され、前記ハウジング部品（１８）が前記ハウジングに連結された時の前記ネブライザ（１）の閉鎖状態において前記ハウジングに配置された駆動部材と噛み合う回転可能要素を含むカウンタデバイス（２３）とを含み、
前記ハウジング部品（１８）を前記ハウジングに連結するまで好ましくは規定の回転位置において前記回転可能要素をブロックするためのブロッキングデバイス（７４）を含み、及び／又は
前記ネブライザは前記回転可能要素を軸線方向に前記駆動部材に向けて引くように適応される、
ことを特徴とするネブライザ（１）。
【請求項２】
前記ブロッキングデバイス（７４）は、前記ハウジング部品（１８）に又はその内部に、特に前記ハウジング部品（１８）の底部（６８）の近くに配置されることを特徴とする請求項１に記載のネブライザ。
【請求項３】
前記ブロッキングデバイス（７４）は、緊密適合係合によって前記回転可能要素の回転をブロックすることを特徴とする請求項１から請求項２のいずれか１項に記載のネブライザ。
【請求項４】
前記ブロッキングデバイス（７４）は、前記回転可能要素をアンロックするために前記ハウジング部品（１８）を前記ハウジングに連結する時に前記ハウジング又は前記ネブライザ（１）の内側部品（１７）によって直接的又は間接的に作動され、及び／又は
前記回転可能要素をブロックすることは、前記ハウジング部品（１８）及び／又はハウジングの好ましくは完全な前記閉鎖又は連結時に終了する、
ことを特徴とする請求項１から請求項３のいずれか１項に記載のネブライザ。
【請求項５】
前記ブロッキングデバイス（７４）は、前記閉鎖状態が少なくとも本質的に又は完全に到達された時、及び／又は前記回転可能要素が前記駆動部材との噛み合い係合にある時に前記回転可能要素を自動的にアンロックすることを特徴とする請求項１から請求項４のいずれか１項に記載のネブライザ。
【請求項６】
前記カウンタデバイス（２３）は、回転可能要素としてネジ付シャフト（４２）及び／又は駆動ギヤ（４３）を含むことを特徴とする請求項１から請求項５のいずれか１項に記載のネブライザ。
【請求項７】
前記ネブライザ（１）又はハウジングは、駆動部材として歯部（４５）を含むことを特徴とする請求項１から請求項６のいずれか１項に記載のネブライザ。
【請求項８】
前記ブロッキングデバイス（７４）は、好ましくは前記回転可能要素の回転ブロックのために非円形係合部分（７０）を受け入れるため、少なくとも部分的に非円形の横断面を有する受け入れ開口部（７６）を有するブロッキング部品（７５）を含むことを特徴とする請求項１から請求項７のいずれか１項に記載のネブライザ。
【請求項９】
前記係合部分（７０）は、前記回転可能要素及び／又は好ましくは前記カウンタデバイス（２３）のネジ付シャフト（４２）の一部に関連付けられ、又は一部を形成することを特徴とする請求項８に記載のネブライザ。
【請求項１０】
前記ブロッキング部品（７５）は、特に前記閉鎖状態において前記回転可能要素の回転をブロック解除するために係合部分（７０）との半径方向係合から離脱して、軸線方向に可動であることを特徴とする請求項８又は請求項９に記載のネブライザ。
【請求項１１】
前記ブロッキング部品（７５）は、前記ハウジング部品（１８）が前記ハウジングに連結された時、特に前記ネブライザ（１）の前記ハウジング内側部品（１７）、保持部品（３９）、又は前記ハウジング部品（１８）内に配置された固定部品（４０）によって押下げられた時に、軸線方向に移動するか又は押し下げられることを特徴とする請求項１０に記載のネブライザ。
【請求項１２】
前記カウンタデバイス（２３）又は回転可能要素は、前記ハウジングに対する前記回転可能要素又はハウジング部品（１８）の回転によって駆動されることを特徴とする請求項１から請求項１１のいずれか１項に記載のネブライザ。
【請求項１３】
前記ハウジング部品（１８）は、前記流体（２）を収容する前記容器（３）を不可分に、特に前記カウンタデバイス（２３）から不可分に、保持し、及び／又は
前記ハウジング部品（１８）は、前記容器（３）を交換するために取外し可能である、  ことを特徴とする請求項１から請求項１２のいずれか１項に記載のネブライザ。
【請求項１４】
前記ネブライザ（１）又はその部材（５０）が、特に前記回転可能要素の好ましくは円盤状カラー（８２）を軸線方向に係合させることによって、前記回転可能要素を選択的に引くための把持部品（８０）又は複数の把持部品（８０）を含むことを特徴とする請求項１から請求項１３のいずれか１項に記載のネブライザ。
【請求項１５】
ハウジング部品（１８）の回転可能要素を前記ハウジング部品（１８）がネブライザ（１）のハウジングから分離している時に好ましくは規定の回転位置においてブロックするためのブロッキングデバイス（７４）の使用であって、
前記ブロッキングデバイス（７４）は、前記回転可能要素が回転して前記ハウジング部品（１８）に配置されたカウンタデバイス（２３）を駆動することができるように、前記ハウジング部品（１８）が前記ハウジングに少なくとも本質的に又は完全に連結された時に前記回転可能要素を自動的にアンロックする、
ことを特徴とする使用。
【請求項１６】
流体（２）を投与するためのネブライザ（１）のためのハウジング部品（１８）であって、
前記ハウジング部品（１８）が、前記ハウジング部品（１８）に配置されたカウンタデバイス（２３）を含み、前記カウンタデバイス（２３）が、前記ネブライザ（１）により駆動される回転可能要素を含み、
前記ハウジング部品（１８）が前記ネブライザ（１）から外される時、及び／又はハウジング部品（１８）がハウジングを完全には閉じない時に、前記回転可能要素を好ましくは規定の回転位置においてブロックするためのブロッキングデバイス（７４）を含む、
ことを特徴とするハウジング部品（１８）。
【請求項１７】
前記ブロッキングデバイス（７４）は、前記ハウジング部品（１８）に又はその内部に、特に前記ハウジング部品（１８）の底部（６８）の近くに、配置されることを特徴とする請求項１６に記載のハウジング部品。
【請求項１８】
前記ブロッキングデバイス（７４）は、前記回転可能要素を緊密適合係合によって回転に対してロックすることを特徴とする請求項１６又は請求項１７に記載のハウジング部品。
【請求項１９】
前記カウンタデバイス（２３）は、回転可能要素としてネジ付シャフト（４２）及び／又は駆動ギヤ（４３）を含むことを特徴とする請求項１６から請求項１８のいずれか１項に記載のハウジング部品。
【請求項２０】
前記ブロッキングデバイス（７４）は、好ましくは前記回転可能要素の回転ブロックのために非円形係合部分（７０）を受け入れるための少なくとも部分的に非円形の横断面を有する受け入れ開口部（７６）を有するブロッキング部品（７５）を含むことを特徴とする請求項１６から請求項１９のいずれか１項に記載のハウジング部品。
【請求項２１】
前記ブロッキング部品（７５）は、前記回転可能要素をブロック解除するために軸線方向に可動又は押下げ可能であることを特徴とする請求項２０に記載のハウジング部品。
【請求項２２】
前記ハウジング部品（１８）は、前記流体（２）を収容する容器（３）を前記カウンタデバイス（２３）から不可分に保持することを特徴とする請求項１６から請求項２１のいずれか１項に記載のハウジング部品。